(57)【特許請求の範囲】
【請求項１】
基端側を開口した筒体の先端側壁に、その筒体の中心線に交差する中心線をもつ複数の斜行ノズル孔を、これら斜行ノズル孔から噴出する水流またはその水頭どうしが上記先端側壁の外側先方所定位置で衝突する関係にして貫通形成するとともに、その外側先方所定位置より手前すなわち上記先端側壁寄りであってかつ少なくとも上記水流が衝接する位置に、頭部を位置させたピン等の衝接子を、同先端側壁に植設してなることを特徴とする噴霧ノズル。
【請求項２】
衝接子が、その軸部を、筒体の中心線に一致または平行する位置において、先端側壁に植設していることを特徴とする請求項１記載の噴霧ノズル。
【請求項３】
衝接子の頭部が、その裏面を前方にしてかつ外側に向かって拡がる所要角度の傾斜面にしていることを特徴とする請求項１または２記載の噴霧ノズル。
【請求項４】
衝接子の頭部が、先端に向かって広がりをもつ扇状をなしていることを特徴とする請求項１または２記載の噴霧ノズル。
【請求項５】
基端側を開口した筒体の先端側壁に、その筒体の中心線に交差する中心線をもつ複数の斜行ノズル孔を、これら斜行ノズル孔から噴出する水流またはその水頭が上記先端側壁の外側先方所定位置で衝突する関係にして貫通形成するとともに、上記水流またはその水頭が衝接する位置に、先端に向かって広がりをもつ扇状をなす頭部を位置させたピン等の衝接子を、同先端側壁に植設してなることを特徴とする噴霧ノズル。
【請求項６】
上記衝接子の扇状をなす頭部の両側面のそれぞれにおいて、水流またはその水頭が衝接する関係位置にして複数の斜行ノズル孔を貫通形成してなることを特徴とする請求項５記載の噴霧ノズル。
【発明の詳細な説明】
【０００１】
【発明の属する技術分野】
本発明は噴霧ノズルに関する。
【０００２】
【従来の技術】
従来、水，農薬等を霧化状態にして拡散散布する噴霧ノズルは、各種の構成のものが提案されている。
【０００３】
【発明が解決しようとする課題】
しかし、構成の複雑なものが多く、製造が面倒であり、コスト高になるものであった。また、霧化といっても実際には水滴状態を含み、そのために、十分な広角拡散と飛距離を得ることができなかった。
本発明は、構成が簡単で、容易かつ低コストで製造でき、その上、水滴を含まない霧化状態にして所期の広角拡散と飛距離を確保できる噴霧ノズルを提供しようとするものである。
【０００４】
【課題を解決するための手段】
請求項１記載の本発明噴霧ノズルは、基端１側を開口した筒体ａの先端側壁ｂに、その筒体ａの中心線に交差する中心線をもつ複数の斜行ノズル孔ｃ２……を、これら斜行ノズル孔ｃ２……から噴出する水流またはその水頭どうしが上記先端側壁ｂの外側先方所定位置で衝突する関係にして貫通形成するとともに、その外側先方所定位置より手前すなわち上記先端側壁ｂ寄りであってかつ少なくとも上記水流が衝接する位置に、頭部ｆ２，ｇ２を位置させた釘またはピン等の衝接子ｆ，ｇを、同先端側壁ｂに植設してなる。
【０００５】
請求項２記載の本発明は、衝接子ｆが、その軸部ｆ１を、筒体ａの中心線に一致または平行する位置において、先端側壁ｂに植設している請求項１記載の噴霧ノズルである。
【０００６】
請求項３記載の本発明は、衝接子ｆの頭部ｆ２が、その裏面ｆ２′を前方にしてかつ外側に向かって拡がる所要角度の傾斜面にしている請求項１または２記載の噴霧ノズルである。
【０００７】
請求項４記載の本発明は、衝接子ｇの頭部ｇ２が、先端に向かって広がりをもつ扇状をなしていることを特徴とする請求項１または２記載の噴霧ノズルである。
【０００８】
請求項５記載の本発明噴霧ノズルは、基端１側を開口した筒体ａの先端側壁ｂに、その筒体ａの中心線に交差する中心線をもつ複数の斜行ノズル孔ｃ２……を、これら斜行ノズル孔ｃ２……から噴出する水流またはその水頭が上記先端側壁ｂの外側先方所定位置で衝突する関係にして貫通形成するとともに、上記水流またはその水頭が衝接する位置に、先端に向かって広がりをもつ扇状をなす頭部ｇ２を位置させたピン等の衝接子ｇを、同先端側壁ｂに植設してなる。
【０００９】
請求項６記載の本発明は、上記衝接子ｇの扇状をなす頭部ｇ２の両側面のそれぞれにおいて、水流またはその水頭が衝接する関係位置にして複数の斜行ノズル孔ｃ２……を貫通形成してなる請求項５記載の噴霧ノズルである。
【００１０】
【発明の実施の形態】
【００１１】
まず、図１〜３に示す本発明噴霧ノズルの第１実施形態について説明する。
ａは基端１側を開口した断面円形の硬質合成樹脂製の筒体、ｂはその筒体ａの先端２側に一体に、内面と外面との間の寸法を長くして肉厚に形成された先端側壁で、この先端側壁ｂの外周は、筒体ａの外周より少し大径にし、筒体ａとの間に外周段部３を形成している。
【００１２】
ｃ１は、肉厚の上記先端側壁ｂの中心に、筒体ａの中心線上に一致させて貫通形成された、その長さの孔径に対する比を大きくした直行ノズル孔である。
【００１３】
ｃ２……は、直行ノズル孔ｃ１の外方にそれを取り巻くようにして、同じく上記先端側壁ｂに貫通形成され、その長さの孔径に対する比を大きくした斜行ノズル孔である。
筒体ａの先端２側は、これらのノズル孔ｃ２……により内外に通じている。
【００１４】
各斜行ノズル孔ｃ２……は、筒体ａの中心線ｏしたがってまた直行ノズル孔ｃ１に対し、平行ではなしに所定の傾斜角をなす関係に、すなわち、先端側壁ｂの内面したがってまた筒体ａ内に開口する内端開口ｃ２′に比し先端側壁ｂの外面に開口する外端開口ｃ２″が、上記中心線ｏにより近接する関係になるように設定され、これにより、各斜行ノズル孔ｃ２……は、それらの中心線が、先端側壁ｂの外側前方所定位置であって、筒体ａの上記中心線ｏ上の交点ｄにおいて交わる関係において設けられている。
【００１５】
ｆは、先端側壁ｂの中心の上記直行ノズル孔ｃ１に、その軸部ｆ１を挿着することにより筒体ａの中心線上に一致させて植設支持され、その頭部ｆ２を、上記先端側壁ｂの外側前方の所要の位置であって、上記交点ｄの位置より手前すなわち先端側壁ｂ寄りに位置させ、上記直行ノズル孔ｃ１を事実上閉止状態にしているピン等の衝接子である。
【００１６】
なお、上記ピン等の衝接子ｆは、頭部ｆ２を上記所要のところに位置させると足りるのもので、先端側壁ｂを筒体ａとともに一体成型する際に上記直行ノズル孔ｃ１を形成することなく、その成型時において、上記衝接子ｆを適宜の方法で先端側壁ｂの中心に植設支持し、あるいは、先端側壁ｂを筒体ａとともに一体成型した後に、当該位置に軸部ｆ１を螺入または打設等適宜の方法で植設支持することにしてもよいものである。
【００１７】
今、筒体ａに、その基端１側の開口から所要の高圧水を供給すると、それは、先端側壁ｂのノズル孔ｃ２……を通じて急激に噴出し、各水流またはその水頭が上記交点ｄで勢いよく衝突し霧化して拡散し、霧化拡散雰囲ｅをなす。
【００１８】
なお、衝接子ｆの頭部ｆ２は、その正面（表面）の輪郭形状を円形その他任意の形状とするが、いずれの形状にした場合であっても、その裏面ｆ２′については、前方にしてかつ外側に向かって拡がる所要角度の傾斜面とする。
また、上記裏面ｆ２′の角度によって、噴霧拡散の角度を調節することができるので、霧化拡散度が高いものである。
【００１９】
上記噴霧ノズルは、水，農薬等の供給源（図示していない）に接続した送給管ｉの先端に、例えば、図３，４に示した管継手ｈにより接続して使用する。その管継手ｈの構成を説明すると次のとおりである。
【００２０】
１０は金属製で円筒形の継手主体で、内部中央の連通孔１１の両側に、係止爪操作環１２，１２を内外に向け遊動自在に嵌合した管接続口１３，１３を備えている。
１４，１４は上記管接続口１３，１３に嵌入した環状弾性係止爪で、その口縁１５，１５が形成する口径は、上記係止爪操作環１２，１２を内方に押動することにより拡開し、該操作環１２，１２を外方に引き出すことにより原状に復帰するようになっている。
１６，１６は、環状弾性係止爪１４，１４と上記連通孔１１との間に嵌入したＯリングである。
【００２１】
この管継手ｈは、一方の管接続口１３に本発明噴霧ノズルの上記筒体ａを、また、他方の管接続口１３に上記送給管ｉを挿入することにより、本発明噴霧ノズルを送給管ｉの先端に取り付けた状態とすることができる。
【００２２】
この取付けには、上記筒体ａと送給管ｉの対応する開口端部を、係止爪操作環１２，１２を通じ、その各開口端部が、継手主体１０の上記連通孔１１に達する位置まで挿入することにより、簡単に行うことができ、不用意に抜脱することがない状態となる。
【００２３】
すなわち、上記挿入過程において、環状弾性係止爪１４，１４の口縁１５，１５は、挿入される開口端部により押されて退避し、その通過を許容するが、その開口端部が外方に引かれ抜脱しようとしたときには、環状弾性係止爪１４，１４の口縁１５，１５が、上記開口端部の外周面に係合する状態となり、その抜脱を阻止するものである。
【００２４】
しかし、必要なときは、上記係止爪操作環１２，１２を内方に押動することにより、環状弾性係止爪１４，１４の口縁１５，１５が拡開し、上記係合を解除するので、上記開口端部を簡単に引き抜くことができる。
【００２５】
続いて図５，６に示す本発明噴霧ノズルの第２実施形態について説明する。
この第２実施形態は、基端１側を開口した断面円形の硬質合成樹脂製の筒体ａが、その先端２側に、外周段部３を有する肉厚の先端側壁ｂを一体に形成していること、その先端側壁ｂに斜行ノズル孔ｃ２……および直行ノズル孔ｃ１を貫通形成していること、さらに、その直行ノズル孔ｃ１に衝接子を挿着していることにおいて、第１実施形態のものと共通し、筒体ａがその基端１側の外周に雄ねじを刻設していること、衝接子の頭部が扁平であることにおいて、上記第１実施形態のものと相違する。
そこで、同じ部分に同じ符号を付すにとどめ、上記相違点について説明する。
【００２６】
まず、筒体ａは、その基端１側の外周に雄ねじａ′を刻設形成し、この雄ねじａ′により、水，農薬等の供給源に接続した送給管（図示していない）の先端に螺合緊締して、使用できるようにしている。
【００２７】
直行ノズル孔ｃ１に挿着する上記衝接子ｇは、その軸部ｇ１を、先端側壁ｂの中心にしてかつ筒体ａの中心線上に一致させて植設支持され、頭部ｇ２を先端側壁ｂの外側前方の上記所要のところに位置させるものであるが、その頭部ｇ２は、本第１実施形態の頭部ｆ２とは異なり、扁平で先端に向かって広がりをもつ扇状をなしている。
【００２８】
このように、頭部ｆ２は、上記所要のところに位置すると足りるので、先端側壁ｂを筒体ａとともに一体成型する際に上記直行ノズル孔ｃ１を形成することなく、その成型時において、上記衝接子ｇを適宜の方法で先端側壁ｂの中心に植設支持し、あるいは、先端側壁ｂを筒体ａとともに一体成型した後に、当該位置に軸部ｇ１を螺入または打設等適宜の方法で植設支持することにしてもよく、この点は、第１実施形態の場合と同じである。
【００２９】
上記斜行ノズル孔ｃ２……は、衝接子ｇの両側に少なくとも２個ずつが、噴出する互いの水流または水頭が上記頭部ｇ２の上記扇状面に衝接する所定の関係に設定してある。
【００３０】
今、筒体ａに、その基端１側の開口から所要の高圧水を供給すると、それは、先端側壁ｂの各ノズル孔ｃ２……を通じて急激に噴出し、各水流またはその水頭が、衝接子ｇの頭部ｇ２の両側扇状面に勢いよく衝突霧化して拡散することにより、層状にしてかつ前方に拡がる霧化拡散雰囲ｅを形成する。
【００３１】
本発明は、上記実施形態のものに限定されるものではない。
すなわち、例えば、直行ノズル孔ｃ１は、筒体ａの中心線に一致する位置ではなく平行な位置に設け、その外方に複数の斜行ノズル孔ｃ２を設けるようにしてもよく、また、直行ノズル孔ｃ１と斜行ノズル孔ｃ２を複数組設けることとしてもよい。
【００３２】
さらに、衝接子ｆ，ｇについても、筒体ａの中心線に一致する位置ではなく平行な位置に植設し、その外方に複数の斜行ノズル孔ｃ２を設けるようにしてもよく、また、衝接子ｆ、ｇと斜行ノズル孔ｃ２を複数組設けることとしてもよい。
【００３３】
【発明の効果】
以上述べたところから明らかなように、本発明噴霧ノズルによれば次の効果を奏することができる。
【００３４】
請求項１〜４の噴霧ノズルに所要の高圧水を供給すると、その水は先端側壁の斜行ノズル孔を通じて急激に噴出し、各水流またはその水頭が所定の交点部分において勢いよく衝突霧化し拡散することにより、霧化拡散雰囲をなし、かつ同時に、上記各水流の一部が、衝接子の頭部に衝接霧化し広角に拡散する。
【００３５】
請求項５，６の噴霧ノズルは、斜行ノズル孔から噴出する水流またはその水頭が、衝接子の先端に向かって広がりをもつ扇状面に衝接霧化し層状をなして前方に拡がる霧化拡散雰囲を形成する。
【００３６】
このため、例えば、水滴散布が好ましくない種類または時期の各種栽培植物に対し、手元至近位置から、従来のノズルでは実現できない遠距離までの広い範囲での霧化散布を実施できる。
【００３７】
その上、構成が簡単であるから製造が容易かつ低コストでできる。
【図面の簡単な説明】
【図１】  本発明の第１実施形態に係る噴霧ノズルの断面図である。
【図２】  同ノズルの正面図である。
【図３】  同ノズルの噴霧状態を示す斜視図である。
【図４】  管継手の断面図である。
【図５】  本発明の第２実施形態に係る噴霧ノズルの断面図である。
【図６】  同ノズルの正面図である。
【符号の説明】
１        基端
２        先端
ａ        筒体
ａ′      雄ねじ
ｂ        先端側壁
ｃ１      直行ノズル孔
ｃ２      斜行ノズル孔
ｄ        交点
ｅ        霧化拡散雰囲
ｆ        衝接子
ｆ１      軸部
ｆ２      頭部
ｆ２′    裏面
ｇ        衝接子
ｇ１      軸部
ｇ２      頭部
【図１】
0003640209.tif 000002
【図２】
0003640209.tif 000003
【図３】
0003640209.tif 000004
【図４】
0003640209.tif 000005
【図５】
0003640209.tif 000006
【図６】
0003640209.tif 000007